(57)【要約】  コネクタは、一端にねじ支柱（１１０）を有し、他端にスレッドヘッド（１２０）を有するハウジング（１００）と、ハウジング（１００）に収容されている絶縁体（２００）と、絶縁体（２００）に設けられ、ハウジング（１００）に収容されている端子（３００）と、ねじ支柱（１１０）に隣接してスレッドヘッド（１２０）の表面に溶接されている電磁シールド機構（４００）とを備える。電磁シールド機構（４００）は、コネクタの大きさを増加させることがない。【選択図】図４
2020526888.tif 000002
【特許請求の範囲】
【請求項１】
一端にねじ支柱（１１０）を有し、他端にスレッドヘッド（１２０）を有するハウジング（１００）と、
前記ハウジング（１００）に収容されている絶縁体（２００）と、
前記絶縁体（２００）に設けられ、前記ハウジング（１００）に収容されている端子（３００）とを備え、
前記ねじ支柱（１１０）に隣接して前記スレッドヘッド（１２０）の表面に溶接されている電磁シールド機構（４００）をさらに備えることを特徴とするコネクタ。
【請求項２】
前記ねじ支柱（１１０）に螺着されるように構成されているナット（６００）をさらに備え、
前記ねじ支柱（１１０）は、設置パネル（１０）に形成されている設置孔を貫通するように構成され、前記コネクタは、前記ナット（６００）を前記ねじ支柱（１１０）に締め付けることにより、前記設置パネル（１０）に固定されるように構成されている、請求項１に記載のコネクタ。
【請求項３】
前記ねじ支柱（１１０）に嵌まるように構成されているシールリング（５００）をさらに備え、
前記シールリング（５００）は、前記電磁シールド機構（４００）と前記設置パネル（１０）との間で圧縮されて、前記コネクタと前記設置パネル（１０）との境界面を封止するように構成されている、請求項２に記載のコネクタ。
【請求項４】
前記コネクタが前記設置パネル（１０）に固定されると、前記ナット（６００）は前記設置パネル（１０）の一側に位置し、前記スレッドヘッド（１２０）、前記電磁シールド機構（４００）、および前記シールリング（５００）は、前記一側とは反対側の前記設置パネル（１０）の他側に位置する、請求項３に記載のコネクタ。
【請求項５】
前記電磁シールド機構（４００）は、水平に延びる板状部分（４１０）と、前記板状部分（４１０）の周囲から垂直に延びる複数の溶接脚部（４２０）とを備え、
前記電磁シールド機構（４００）の前記板状部分（４１０）は、前記ねじ支柱（１１０）に隣接して前記スレッドヘッド（１２０）の表面に溶接されるように構成され、前記電磁シールド機構（４００）の前記複数の溶接脚部（４２０）は、回路基板に溶接されるように構成されている、請求項１から４のいずれか一項に記載のコネクタ。
【請求項６】
前記電磁シールド機構（４００）の前記板状部分（４１０）は、スポット溶接により前記スレッドヘッド（１２０）の表面に溶接されるように構成されている、請求項５に記載のコネクタ。
【請求項７】
前記電磁シールド機構（４００）の前記板状部分（４１０）は、前記スレッドヘッド（１２０）と同一の平面形状を有する、請求項５に記載のコネクタ。
【請求項８】
前記電磁シールド機構（４００）の前記複数の溶接脚部（４２０）は、前記スレッドヘッド（１２０）の側面に当接するように配置されている、請求項５に記載のコネクタ。
【請求項９】
前記端子（３００）は、前記ハウジング（１００）の一端に第１の端部（３１０）を備え、前記ハウジング（１００）の他端に第２の端部（３２０）を備え、
前記端子（３００）の前記第１の端部（３１０）は、相手側コネクタに電気的に接触するように構成され、前記端子（３００）の前記第２の端部（３２０）は、回路基板に溶接されるように構成されている、請求項１から８のいずれか一項に記載のコネクタ。
【請求項１０】
前記コネクタは、円筒形状を有する丸型コネクタとして構成されている、請求項１から９のいずれか一項に記載のコネクタ。
【発明の詳細な説明】
【技術分野】
【０００１】
関連出願の相互参照
本出願は、開示全体が参照により本明細書に組み込まれている、２０１７年７月１３日に中国国家知識産権局に出願された中国特許出願第２０１７２０８５２４５１．７号の優先権を主張する。
【０００２】
本開示の少なくとも１つの実施形態は、コネクタに関し、より詳細には、丸型コネクタに関する。
【背景技術】
【０００３】
先行技術において、電気機器の設置パネル（例えば、外板）に取り付けるように構成されている丸型コネクタは、一般に、ハウジングと、ハウジングに収容されている絶縁体と、絶縁体に設けられている複数の端子とを備える。
【０００４】
この丸型コネクタを電気機器の設置パネルに取り付けるために、電磁シールド構造を丸型コネクタに追加することは、空間の制約により困難である。しかしながら、一部の適用においては、所望の電磁シールド効果を得るために、電磁シールド構造を丸型コネクタに追加する必要がある。
【０００５】
したがって、丸型コネクタの大きさを増加させることなく、丸型コネクタのために有効な電磁シールド効果をもたらす新規な電磁シールド構造を開発する必要がある。
【発明の概要】
【発明が解決しようとする課題】
【０００６】
本開示は、上記の欠点のうちの少なくとも１つの局面を克服または軽減するためになされたものである。
【課題を解決するための手段】
【０００７】
本開示の目的によれば、コネクタの大きさを増加させることのない電磁シールド機構を備えるコネクタが提供される。
【０００８】
本開示の態様によれば、一端にねじ支柱を有し、他端にスレッドヘッドを有するハウジングと、ハウジングに収容されている絶縁体と、絶縁体に設けられ、ハウジングに収容されている端子と、ねじ支柱に隣接してスレッドヘッドの表面に溶接されている電磁シールド機構とを備えるコネクタが提供される。
【０００９】
本開示の例示的な実施形態によれば、コネクタは、ねじ支柱に螺着されるように構成されているナットをさらに備え、ねじ支柱は、設置パネルに形成されている設置孔を貫通するように構成され、コネクタは、ナットをねじ支柱に締め付けることにより、設置パネルに固定されるように構成されている。
【００１０】
本開示の別の例示的な実施形態によれば、コネクタは、ねじ支柱に嵌まるように構成されているシールリングをさらに備え、シールリングは、電磁シールド機構と設置パネルとの間で圧縮されて、コネクタと設置パネルとの境界面を封止するように構成されている。
【００１１】
本開示の別の例示的な実施形態によれば、コネクタが設置パネルに固定されると、ナットは設置パネルの一側に位置し、スレッドヘッド、電磁シールド機構、およびシールリングは、一側とは反対側の設置パネルの他側に位置する。
【００１２】
本開示の別の例示的な実施形態によれば、電磁シールド機構は、水平に延びる板状部分と、板状部分の周囲から垂直に延びる複数の溶接脚部とを備え、電磁シールド機構の板状部分は、ねじ支柱に隣接してスレッドヘッドの表面に溶接されるように構成され、電磁シールド機構の複数の溶接脚部は、回路基板に溶接されるように構成されている。
【００１３】
本開示の別の例示的な実施形態によれば、電磁シールド機構の板状部分は、スポット溶接によりスレッドヘッドの表面に溶接されるように構成されている。
【００１４】
本開示の別の例示的な実施形態によれば、電磁シールド機構の板状部分は、スレッドヘッドと同一の平面形状を有する。
【００１５】
本開示の別の例示的な実施形態によれば、電磁シールド機構の複数の溶接脚部は、スレッドヘッドの側面に当接するように配置されている。
【００１６】
本開示の別の例示的な実施形態によれば、端子は、ハウジングの一端に第１の端部を備え、ハウジングの他端に第２の端部を備え、端子の第１の端部は、相手側コネクタに電気的に接触するように構成され、端子の第２の端部は、回路基板に溶接されるように構成されている。
【００１７】
本開示の別の例示的な実施形態によれば、コネクタは、円筒形状を有する丸型コネクタであるように構成されている。
【００１８】
本開示の上記の様々な例示的な実施形態において、電磁シールド機構は、ねじ支柱に隣接してスレッドヘッドの表面に溶接されている。したがって、コネクタの大きさが増加することはない。
【００１９】
添付図面を参照しながら例示的な実施形態を詳細に説明することにより、本開示の上記その他の特徴がより明らかになろう。
【図面の簡単な説明】
【００２０】
【図１】電磁シールド機構が示されていない、本開示の例示的な実施形態によるコネクタの斜視図である。
【図２】図１のコネクタの側面図である。
【図３】電磁シールド機構が示されている、本開示の例示的な実施形態によるコネクタの斜視図である。
【図４】図３のコネクタを設置パネルに固定する様子を示す図である。
【発明を実施するための形態】
【００２１】
以下で、添付図面を参照しながら本開示の例示的な実施形態について詳細に説明する。図中、同一の参照符号は同一の要素を指す。しかしながら、本開示は、多くの異なる形態で具体化することができ、本明細書で述べる実施形態に限定されるものと解釈すべきではない。むしろ、これらの実施形態は、本開示が徹底的で完全なものであり、本開示の概念を当業者に十分に伝えるように提示される。
【００２２】
以下の詳細な説明では、説明の目的で、開示する実施形態の徹底的な理解をもたらすために、多数の具体的な詳細について述べる。しかしながら、これらの具体的な詳細がなくても１つまたは複数の実施形態を実施することができることが明らかであろう。他の場合、図面を簡略化するために、周知の構造およびデバイスを概略的に示す。
【００２３】
本開示の一般的な概念によれば、一端にねじ支柱を有し、他端にスレッドヘッドを有するハウジングと、ハウジングに収容されている絶縁体と、絶縁体に設けられ、ハウジングに収容されている端子と、ねじ支柱に隣接してスレッドヘッドの表面に溶接されている電磁シールド機構とを備えるコネクタが提供される。
【００２４】
図１は、電磁シールド機構４００が示されていない、本開示の例示的な実施形態によるコネクタの斜視図であり、図２は、図１のコネクタの側面図である。
【００２５】
図１、図２に示すように、実施形態において、コネクタは、ハウジング１００と、絶縁体２００と、端子３００とを主に備える。ハウジング１００は、一般に金属から形成される。ハウジング１００は、一端にねじ支柱１１０を備え、一端とは反対側の他端にスレッドヘッド１２０を備える。絶縁体２００はハウジング１００に収容されている。端子３００は絶縁体２００に設けられ、ハウジング１００に収容されている。
【００２６】
図３は、電磁シールド機構４００が示されている、本開示の例示的な実施形態によるコネクタの斜視図である。
【００２７】
図３に示すように、本開示の例示的な実施形態において、コネクタは、電磁シールド機構４００をさらに備える。電磁シールド機構４００は、ねじ支柱１１０に隣接してスレッドヘッド１２０の表面に溶接されている。
【００２８】
図４は、図３のコネクタを設置パネル１０に固定する様子を示す図である。
【００２９】
図３、図４に示すように、実施形態において、コネクタは、ねじ支柱１１０に螺着されるように構成されているナット６００をさらに備える。ねじ支柱１１０は、設置パネル１０に形成されている設置孔を貫通するように構成されている。コネクタは、ナット６００をねじ支柱１１０に締め付けることにより、設置パネル１０に固定されるように構成されている。
【００３０】
図３、図４に示すように、実施形態において、コネクタは、ねじ支柱１１０に嵌まるように構成されているシールリング５００をさらに備える。シールリング５００は、電磁シールド機構４００と設置パネル１０との間で圧縮されて、コネクタと設置パネル１０との境界面を封止するように構成されている。
【００３１】
図３、図４に示すように、実施形態において、コネクタが設置パネル１０に固定されると、ナット６００は設置パネル１０の一側に位置し、スレッドヘッド１２０、電磁シールド機構４００、およびシールリング５００は、一側とは反対側の設置パネル１０の他側に位置する。
【００３２】
図３、図４に示すように、実施形態において、電磁シールド機構４００は、水平に延びる板状部分４１０と、板状部分４１０の周囲から垂直にコネクタの軸方向に延びる複数の溶接脚部４２０とを備える。電磁シールド機構４００の板状部分４１０は、ねじ支柱１１０に隣接してスレッドヘッド１２０の表面に溶接されるように構成されている。電磁シールド機構４００の複数の溶接脚部４２０は、回路基板（図示せず）に溶接されるように構成されている。
【００３３】
図３、図４に示すように、実施形態において、電磁シールド機構４００の板状部分４１０は、スポット溶接によりスレッドヘッド１２０の表面に溶接されるように構成されている。
【００３４】
図３、図４に示すように、実施形態において、電磁シールド機構４００の板状部分４１０は、スレッドヘッド１２０と同一の平面形状を有する。
【００３５】
図３、図４に示すように、実施形態において、電磁シールド機構４００の複数の溶接脚部４２０は、スレッドヘッド１２０の側面に当接する。
【００３６】
図１、図２に示すように、実施形態において、端子３００は、ハウジング１００の一端に第１の端部３１０を備え、ハウジング１００の他端に第２の端部３２０を備える。端子３００の第１の端部３１０は、相手側コネクタに電気的に接触するように構成されている。端子３００の第２の端部３２０は、回路基板に溶接されるように構成されている。
【００３７】
実施形態において、コネクタを、円筒形状を有する丸型コネクタとして構成することができる。丸型コネクタは、電気機器の外板（設置パネルとも称する）に取り付けるように構成されている。端子３００の第２の端部３２０と電磁シールド機構４００の複数の溶接脚部４２０とを、電気機器の外板に設けられている回路基板に溶接することができる。
【００３８】
上記の実施形態において、電磁シールド機構４００は、コネクタのハウジングのスレッドヘッドに溶接されている。これにより、電磁シールド機構４００はコネクタの設置に影響することがなく、コネクタを容易に取り付けることができる。加えて、電磁シールド機構４００はシールリング５００に影響することがなく、コネクタの防水性能を低下させることがない。上記の実施形態において、電磁シールド機構４００以外にコネクタのさらなる電磁シールド構造を追加する必要がないため、コネクタのコストが低下し、コネクタの組立ておよび製造の難易度が低下する。
【００３９】
上記の実施形態は例示的なものであり、限定的ではないことを、当業者には理解されたい。例えば、当業者であれば、構成上または原理上矛盾することなく、上記の実施形態に多くの修正を加えることができ、異なる実施形態に記載する様々な特徴を互いに自由に組み合わせることができる。
【００４０】
いくつかの例示的な実施形態について図示および説明したが、本開示の原理および趣旨から逸脱することなく、これらの実施形態に様々な変更または修正を加えることができることが、当業者には理解されよう。本開示の範囲は、特許請求の範囲およびその均等物により定義される。
【００４１】
本明細書で用いられるように、単数形で記載され、「１つの（ａ）」または「１つの（ａｎ）」という語で始まる要素またはステップは、特に明記しない限り、この要素またはステップの複数形を除外しないものとして理解されるべきである。さらに、本開示の「一実施形態」に対する参照は、記載した特徴も組み込んだ追加の実施形態の存在を除外するものと解釈されることを意図してはいない。さらに、そうではないと明記されていない限り、特定の特性を有する要素または複数の要素を「備える（ｃｏｍｐｒｉｓｉｎｇ）」、または「有する（ｈａｖｉｎｇ）」実施形態は、その特性を有さない追加のこのような要素を含んでいてもよい。
【図１】
2020526888.tif 000003
【図２】
2020526888.tif 000004
【図３】
2020526888.tif 000005
【図４】
2020526888.tif 000006
【国際調査報告】
2020526888.tif 000007
2020526888.tif 000008
2020526888.tif 000009